(57)【要約】      （修正有）【課題】線量計−放射計を有する移動無線ユニットを提供する。【解決手段】電気的に相互接続されたトランシーバー１５とプロセッサ１を組み込んだ本体に、ディスプレイユニット３、キーボード５、メモリユニット２、電源ユニット６、及び電源ユニット６に接続した可聴式の警報補助器４を有する。半導体放射線検出器８、増幅器７及びインターフェースユニット１０が、直列に相互接続され、インターフェースユニットの出力が接続され、かつ、線量計及び放射計の許容可能なレベルに基づき、警報補助器４及びディスプレイユニット３を介して、視聴可能な警報を発生可能にするように設計されたプロセッサ１を備える。半導体放射線検出器８は、α線、β線、γ線及び中性子の放射並びに太陽光の放射レベルを測定するためのものである。【選択図】図１
0003189486.tif 000002
【実用新案登録請求の範囲】
【請求項１】
電気的に相互接続されたトランシーバーとプロセッサを組み込んだ本体に、ディスプレイユニット、キーボード、メモリユニット、電源ユニット、及び該電源ユニットに接続した可聴式の警報補助器を有する移動無線ユニットであって、
半導体放射線検出器、増幅器及びインターフェースユニットに優れており、これらの全ては、直列に相互接続され、インターフェースユニットの出力がプロセッサに接続され、かつ上述の前記警報補助器及び前記ディスプレイユニットを介して線量計及び放射計に、視聴可能な警報を発生可能にする設計ユニットを備えることを特徴とする移動無線ユニット。
【請求項２】
前記放射線検出器は、α線、β線、γ線及び中性子の放射並びに太陽光の放射レベルを測定するように設計されていることを特徴とする請求項１に記載の移動無線ユニット。
【請求項３】
前記プロセッサは、ソフトウエアが与えられて、許容可能な限界値、及び許容できないレベルの警報を発生させ、バックグラウンドの放射線を測定し、蓄積された放射線量に依存する人間器官及びシステムの状態を説明する図表を組み立て、図、表、及び文字の形で表示する情報メッセージを視覚化するとともに、前記蓄積された放射線量に依存する予防手段を実行することを特徴とする請求項１に記載の移動無線ユニット。
【請求項４】
前記プロセッサは、ソフトウエアが与えられて、許容可能な限界値、及び許容できないレベルの警報を、時間単位、日単位、週単位、月単位、年単位の間隔にわたり確実にすることを特徴とする請求項３に記載の移動無線ユニット。
【請求項５】
キーボーは、線量計−放射計のモードに対するいくつかの付加的なキーを含んでいることを特徴とする請求項１〜４のいずれかに記載の移動無線ユニット。
【請求項６】
移動無線ユニットのナビゲーションは、補助器が、ＧＰＳ及びＧＬＯＮＡＳシステムを介して位置決めを支援することを特徴とする請求項１〜４のいずれかに記載の移動無線ユニット。
【請求項７】
放射線検出器、増幅器、及びインターフェースユニットが、前記本体内に配置されていることを特徴とする請求項１〜４のいずれかに記載の移動無線ユニット。
【請求項８】
放射線検出器、増幅器、及びインターフェースユニットが、着脱可能なケースに配置されていることを特徴とする請求項１〜４のいずれかに記載の移動無線ユニット。
【考案の詳細な説明】
【技術分野】
【０００１】
有益な本考案は、アクセサリーを備えた移動通信装置（携帯電話、セル式携帯電話、スマートフォン）即ち、携帯用ＲＦユニットの範疇に関し、このＲＦユニットは、線量計−放射計（簡略してＤＯ−ＲＡ）として設計された測定値の測定及び処理するための集積モジュールを備えている。
【背景技術】
【０００２】
チェルノブイリ及び福島での大災害を視点として、世界は、汚染領域、その隣接領域、さらに遠くの領域において、放射性崩壊生成物が、風、雨、地下水、及び川、海、大洋の水によって運ばれることから、人間組織に影響を与える放射線に対して、より注意を払うようになってきた。
【０００３】
線量計−放射計は、自立型本体を備えて種々の設計が利用でき、装備並びに補助的に視覚的なディスプレイを含んでいる。しかし、各人が個々に放射線モニター装置を備えるほど妥当な値段でかつ便利にはなっていない。このような移動装置は、常に携帯し、かつ各々電源、アラーム、及びディスプレイ部品を必要とする。
【０００４】
統合したアクセサリーを備える携帯電話がある。また、携帯電話ケースとして設計された独立の指令装置を用いるセルフォンがある。これは、電気信号の電気機械式ノードを介して変換を意図し、安全センサをトリガする電子ユニットによって、電気信号が伝送される。さらに、セルフォンキーの機械的動作で更なる警報を作動させ、セルフォンの機能であるショートカットダイヤル発信を介して実際に加入者の呼び出しを行う。
また、セルフォンは、「全ての着信をブロックする」機能（ＲＵ102282）でＧＳＭ通信する可能性を備えている。
【０００５】
また、統合測定モジュールを備える移動無線ユニットがあり、移動無線ユニットによって発生した電磁波に対して保護するようにシールドされている（特許文献１）。
【０００６】
補助的機能を有し、音声（可聴アラーム）を発信及び受信するためのトランシーバー（送受信機）を含む携帯（セル）電話がある。この携帯電話は、信号処理回路を備え、この回路が動作すると、トランシーバー及びマイクロプロセッサ組に接続されて、トランシーバーによって送受信された信号を処理する。また、この携帯電話は、貯蔵メモリ（メモリユニット）、プッシュボタン式パネル（キーボード）、ディスプレイ（モニター）、アキュームレータ（電源ユニット）、及び本体等の部品を含む。更に、特別のアクセサリーとして、距離、面積、容積、及び処理用測定値を測定するための電気光学モジュールを備えており、動作時には、プッシュボタン式パネル、ディスプレイ、アキュームレータユニット、トランシーバー及びマイクロプロセッサ組に接続される。このマイクロプロセッサ組は、呼び出しコールを受信し、必要に応じてその測定値を保存して、電気光学モジュールの動作を停止させることを可能にする（ＲＵ  第70434号（プロトタイプ））。
【０００７】
利用可能な移動無線ユニットの欠点は、制限された機能しかなく、適切な放射モニタリングを確実にすることができないことである。
【先行技術文献】
【特許文献】
【０００８】
【特許文献１】国際公開２００６／０９２３２３号公報
【考案の概要】
【考案が解決しようとする課題】
【０００９】
有益な本考案に関して、この場合の技術的課題は、有効な移動装置の設計を確実にすることであり、この設計は、いくつかの補助的機能を備えかつ利用可能な移動無線ユニットの範囲を広げることである。
【００１０】
上述の課題に対する適切な解法を得るのに必要な技術は、機能を拡張して、放射線環境のパラメータの検出、測定、保存、及び処理、特定エリアの放射能汚染のモニタリング、及び、理解可能で応用性のあるフォーマットでのそれぞれのデータの生成を提供する。
【００１１】
特に、限界を示す、時間単位、日単位、週単位、月単位、及び年単位での許容可能及び許容できない放射線レベルを示すための手段が与えられるべきであり、これにより、それぞれの情報スクリーンメッセージを表示するとともに、蓄積された放射線量によるバックグラウンドの放射線の測定、人の器官及びシステムの状態を説明する図表を生成する。
【課題を解決するための手段】
【００１２】
有益な本考案の主題は、移動無線ユニットが、電気的に相互接続されたトランシーバーとマイクロプロセッサの組を組み込んだ本体を含み、該本体は、ディスプレイ、キーボード、メモリユニット、電源ユニット、及びこれらに接続された可聴警報器を備えている。
【００１３】
この装置は、直列に相互接続された、半導体放射線検出器、増幅器、及びインターフェースユニットを備えている。インターフェースユニットの出力は、マイクロプロセッサ組に接続され、上記可聴警報器及びディスプレイの使用を伴って、視聴可能な線量計及び放射線計の指示値を発生する。
【００１４】
好ましくは、放射線検出器は、太陽光放射レベルとともに、α線、β線、γ線および中性子放射の測定に対して設計されるべきである。
【００１５】
概して、マイクロプロセッサ組は、許容可能な限界及び許容できない放射レベルの警報を発生し、バックグラウンド放射線を測定し、そして、蓄積された放射線量による、人の器官及びシステムの状態の説明する図表を組み立て、さらに、図表、テーブル及びテキストの形式のそれぞれの情報メッセージをスクリーン表示すると共に、予防的な提言を実行するソフトウエアを備えている。
【００１６】
さらに、マイクロプロセッサ組は、時間単位、日単位、週単位、月単位、及び年単位の間隔にわたる、許容可能な限界及び許容できない放射線レベルの警報を発生するソフトウエアを備えている。
【００１７】
さらに、キーボードは、線量計−放射計モードで動作を制御するための付加的キーを含む。
無線ユニットは、ＧＳＰ及びＧＬＯＮＡＳシステムを介して位置決めるためのナビゲータを備えている。
【００１８】
いくつかの無線ユニットの設計において、放射検出器、増幅器、及びインターフェースユニットは、本体内に配置され、他の無線ユニットでは、放射線検出器、増幅器、及びインターフェースユニットは、取外し可能なケース内に配置されている。
【図面の簡単な説明】
【００１９】
【図１】図１は、線量計−放射計（ＤＯ−ＲＡ）を有する移動無線ユニットの主たるブロック図を示している。
【考案を実施するための形態】
【００２０】
移動無線ユニット（セルフォン／携帯電話、スマートフォン）は、本体１６（従来例）を含み、この本体内にプロセッサ１がある。プロセッサ１は、メモリユニット２、ディスプレイユニット３、及び可聴警報補助器４、キーボード５、電源ユニット６、ＧＳＰ及びＧＬＯＮＡＤシステムのナビゲータ９、トランシーバー（Wi-Fi／GPRS送受信装置）１５に接続されている。移動無線ユニット（ＲＦユニット）は、直列に相互接続された、半導体放射線検出器８、オペアンプ７、及びインターフェースユニット１０を備えている。インターフェースユニットは、プロセッサ１に接続され、上記ＲＦユニット部品の残りのものと相互接続されている。
【００２１】
検出器８は、放射能（イオン化）放射によって生じた事象を電気信号又は他の種類の信号に変換するのに用いられる感度素子である。この放射線検出器８は、太陽光放射レベルとともにα、β、γ及び中性子放射を測定するように設計されている。
【００２２】
プロセッサ１は、ＲＦユニットの機能及びデータのモニタリングの両方を実行するように設計され、さらに、限界値の蓄積及び生成、許容可能及び許容できない放射線レベルの警報、バックラウンド放射線を測定し、蓄積された放射線量による、人の器官及びシステムの状態を説明する図表を組み立て、さらに、それぞれのデータの図表、テーブル及びテキストのスクリーンメッセージを示すディスプレイユニット３への指示に対して予防的な提言を実行する。このソフトウエアは、図面に一般的に図示されている、以下の４つの動作プログラムモジュールを含む。
【００２３】
データモジュール１１「線量計」
データモジュール１２「放射計」
データモジュール１３「分離した人体の器官における影響」
データモジュール１４「太陽光放射レベル」
線量計は、時間間隔、例えば、ある周期にわたり、その装置（またはそれを使用する人々）に影響を与えるイオン化する放射線のレベル及び強さを測定するための装置であり、放射線は、ある領域、又は作業シフトを超えて蓄積される。
【００２４】
放射計は、放射能放射のためのイオン化する放射線の流速密度を測定する装置であり、疑わしい対象物をチェックし、かつある領域での所定の時間における放射能環境を評価するためのものである。
【００２５】
こうして、これ自体の回路は、放射線検出器８、オペアンプ７、及びインターフェース１０を含んでいるが、独立の装置として、線量計及び放射計における機能の実行を保証することはできない。
【００２６】
プロセッサ１は、許容可能な限界値、及び時間単位、日単位、週単位、月単位、及び年単位での許容できない放射線レベルを示すために、それぞれの補助具４を介して、視聴可能な音声警報を発生するためのソフトウエアを備えている。
キーボード５は、線量計および／または放射計の動作を制御するための付加的なキー（図示略）を含む。
【００２７】
線量計及び放射計の機能の実行は、線量計及び放射計の両方の回路と共に、プロセッサ１のプログラムによって定められ、これらの回路は、検出器８、インターフェースユニット１０、増幅器７、及び移動ＲＦユニット部品によって形成されている。検出器８、インターフェースユニット１０、および増幅器７は、移動ＲＦユニット本体１６内に統合、または個別の着脱可能なケース（図示略）内に配置することができる。
【００２８】
スマートフォンは、それ自体にオペレーションシステムを有する改良型携帯電話形式であり、また、拡張されたオーダーメードの可能性を有している。
その結果、相互作用デバイス（回路要素）１−１０,１５を単一ユニットに組み合わせることによって、建設的な統合性及び機能的な相互依存関係を達成することが可能であり、結果として、新しく拡張された機能を有する移動ＲＦユニットに貢献できる。
【００２９】
線量計及び放射計を有する移動ＲＦユニットの動作は、以下のとおり。
ＲＦユニットを動作させると、ナビゲータ９、トランシーバー１５、及び検出器８が作動する。ナビゲータユニット９は、ＧＰＳ／ＧＬＯＮＡＳシステムの座標を受信して、これらをメモリユニット２に登録する。全体として、ＲＦユニットの電源は、標準の携帯電話（スマートフォン）等の通常の方法で電源ユニット６によって供給される。更に、検出器８は、放射能放出によって影響を受けた検出器８が信号を発生し、この信号は、増幅器７によって増幅され、インターフェースユニット１０によって変換され、そして、プロセッサ組１によって処理される。また、一方、時間単位、日単位、週間単位、月単位、年単位の間隔にわたる許容可能な測定値、限界値、及び許容できない放射線レベルおよびバックグラウンドの放射線レベルの検出、蓄積された放射線量による人間器官及びシステム状態を示す図表を作り、蓄積された放射線量による予防勧告を実行し、そして、メモリユニット２に同時に記録する太陽光放射パラメータを定める。
【００３０】
さらに、上記データは、中央集中型の、例えば、移動通信のサービスプロバイダによってデータ処理する、固定のサーバーに送信機（Ｗｉ−Ｆｉ／ＧＰＲＳ）１５を介して伝送される。データが、蓄積され、処理され、そして、例えば、「Our Radioactive World」キャンペーンに参加する人々の間に配布される。「Our Radioactive World」キャンペーンの参加者は、ＤＯ−ＲＡデバイスの自発的な所有者で、かつ、放射能汚染領域及び範囲の地図作成のためのＧＰＳ／ＧＬＯＮＡＳサービスの使用者である。
【００３１】
ＲＦユニットを作動させ、そして、キーボード５上の各キーを押すと、適切なデータが、同一のディスプレイ３に表示され、このディスプレイには、文字メッセージ及び不在着信のデータと、放射能環境及び太陽光放射レベルでの上記データとの両方のデータを含んでいる。
【００３２】
同一の可聴警報補助器４は、限界値に到達したら直ちに、プロセッサ１に受信した入来ＲＦ信号について、使用者に情報を伝える。許容可能なおよび／または許容できない放射線レベルの上記限界値は、予め設定された、時間単位、日単位、月単位、年単位の間隔にわたる。
【００３３】
イオン化した放射線の照射線量のデータは、各ユニットにおける数値、例えば、μＲ／ｈ（マイクロレントゲン／時間） または μＳｖ／ｈ（マイクロシーベルト／時）等の単位として、同一のＲＦユニットディスプレイ３に表示される。これらの単位は、変換され、調整されて、ディスプレイ３のスクリーンに表示され、使用者の居住国に受け入れられる。
【００３４】
ユニット９は、位置決めのために、ＧＰＳ／ＧＬＯＮＡＳシステムに基づくナビゲーション補助器（図示略）を持っている。
位置決めのためのＧＰＳ／ＧＬＯＮＡＳシステムに基づくナビゲーション補助器は、ナビゲータ９とプロセッサ１を介してデータを伝達して、同一ディスプレイ３上に位置するＲＦユニットのデータを視覚化する。
【００３５】
要求された技術的解法は、全体として、ＲＦユニットが、統合され又は付帯した最小限の部品を用いて、遠隔通信を維持するのみならず、測定領域内の所有者及びバックグラウンドの放射線に影響を及ぼす放射線被爆量の測定を可能にすることにより、携帯電話及びスマートフォンを介して線量計−放射計の機能を実現させる。
【００３６】
この技術的解法の妥当性は、今日の携帯電話が、実際我々の身体の一部となっているという事実によっている。我々は、仕事中、携帯電話またはスマートフォンを手放すことはめったになく、そのため、線量計−放射計機能は、携帯電話またはスマートフォンの機能としてスムーズに統合され、その結果、全体に機能性を持たせた、拡張性及び多様性を備えることになる。
【００３７】
放射線環境の分析のための放射計機能は、線量計機能と変わらない要素に基づいて、ソフトウエアによりプログラム化されている。この携帯電話またはオプションが付加されたスマートフォンは、使用者が放射能汚染を監視するのに役立ち、ある領域だけでなく、使用者の位置に関係なく、食品、水、及び他の個人的及び家庭で用いる他の対象物、即ち、健康の保護を確実にする。
【００３８】
ＧＰＳ／ＧＬＯＮＡＳシステムベースのＲＦユニットの位置決め機能は、スマートフォンにも有益であり、スマートフォンユーザがいる場所でのバックグラウンド放射線の対象データを自動的に収集を提供する。
【００３９】
この有益な発明は、「ＤＯ-ＲＡ」の構造的構成要素として、携帯電話またはスマートフォンの回路要素を用いて部分的に完成する線量計−放射計の機能を用いて、どの携帯電話またはスマートフォンにおいても実行できる。線量計−放射計モードにおける「ＤＯ-ＲＡ」動作は、特定に開発されたソフトウエアパッケージ及びある携帯電話、スマートフォンによって用いられる動作システムに基づいて実行される。線量計−放射計モードにおいて、「ＤＯ-ＲＡ」のための電力は、携帯電話またはスマートフォンの標準蓄積ユニット（ユニット６）から供給される。これらが、新しい携帯電話またはスマートフォンの発明、または着脱可能な（取付け型）装置として設けられる場合、検出器８の回路は、上記いずれかのフォン用回路に構造的に統合できる。線量計−放射計の動作は、携帯電話／スマートフォンの相互接続及び通信によって確実になる。
【００４０】
この結果、要求されるＲＦユニットは、全体として、次の目的の範囲を完成するのに適している。
・移動遠隔通信を確実にすること、
・バックグラウンド放射線レベルを測定すること、
・放射能の危険を有する対象物を検出かつ識別すること、
・ある食品が食べられるか否かを決定すること、
・個人の顔色を見て健康的な日焼けレベルを定めること、
【００４１】
こうして、ＲＦユニットは、太陽光放射のレベルを測定しかつ分析するのに用いることができ、かつ色白から色黒までの、各々の顔色に対する許容可能な露光レベル及び強さを識別し、さらに、通知システムを介して、オープンビーチ空間及び他の日射設備に対する太陽光の限界露光時間を警告することを提供する。
【００４２】
・「ＤＯ-ＲＡ」の蓄積放射線被爆量は、線量計モードで測定された時間単位、日単位、週単位、月単位、年単位の間隔にわたって携帯電話またはスマートフォンの所有者に備えられ、特定の図表ファイル及びプログラムを介して、ディスプレイ上に視覚化される。
【００４３】
・線量計モードにおける許容可能な及び許容できない放射線レベルが、音声指令：「通常の放射線レベル」、「限界放射線レベル」、「許容できない放射線レベル」として、携帯電話／スマートフォンのシステムを介して通信される。
【００４４】
・各々の顔色の形式として推奨する太陽光放射線レベルを連続して監視する。
・放射計モードにおいて、特定領域、対象物、水、食物及びその他に対する放射線レベルを測定する。特定領域及び対象物に対するバックグラウンド放射線レベルは、特定の図表ファイル及びプログラムを介して、携帯電話／スマートフォンのディスプレイ上に視覚化される。
【００４５】
・携帯電話／スマートフォンの所有者に備えられた「ＤＯ-ＲＡ」の器官及びシステムの状態を説明する図表を、特定の図表ファイル及びプログラムを介して実行された、線量計データに基づいて、受け入れた又は蓄積された放射線量に従って、構築する。そして、移動ＲＦユニットのディスプレイ上に視覚化する。
【００４６】
・線量計データに基づいて、受け入れた又は蓄積された放射線量に従って、携帯電話／スマートフォンに備えられた「ＤＯ-ＲＡ」の所有者のための予防的勧告を実行する。そして、このデータが、移動ＲＦユニットのディスプレイ上にテキストメッセージとして視覚化される。
【００４７】
・携帯電話／スマートフォンの所有者に備えられた「ＤＯ-ＲＡ」の位置の領域に対するバックグラウンド放射線報告の実時間モードの自動的な準備が、移動通信サービスプロバイダを介する調整に基づいたＧＰＳおよびＧＬＯＮＡＳを用いて実行される。
【００４８】
放射計モードで活動し、そして、データ処理及び分析に用いられる、グローバルな放射線環境の評価センターへの接地位置に従って、携帯電話／スマートフォンを備えた「ＤＯ-ＲＡ」の所有者を取り囲む放射線環境でのデータを自動伝送する。
【００４９】
・ＲＦユニット（無線ユニット）を備えた「ＤＯ−ＲＡ」によって実行されるデータ収集が進むので、放射能汚染レベルを示す、領域範囲、水空間、および他の設備の視覚化された地図の形で、グローバルな放射線環境の評価センターによって蓄積されたデータが、無料で、「Our Radioactive World」キャンペーンの全ての参加者に提供される。
こうして、拡大された機能性を保証し、さらに移動ＲＦユニットの範囲を増大させる、有効な移動ＲＦユニットが完成された。
【産業上の利用可能性】
【００５０】
本発明は、この産業において利用可能な普遍的な現代の装置を用いて実行される。
【図１】
0003189486.tif 000003
【手続補正書】
【提出日】平成24年5月2日(2012.5.2)
【手続補正１】
【補正対象書類名】実用新案登録請求の範囲
【補正対象項目名】全文
【補正方法】変更
【補正の内容】
【実用新案登録請求の範囲】
【請求項１】
電気的に相互接続されたトランシーバーとプロセッサを組み込んだ本体に、ディスプレイユニット、キーボード、メモリユニット、電源ユニット、及び該電源ユニットに接続した可聴式の警報補助器を有する移動無線ユニットであって、
半導体放射線検出器、増幅器及びインターフェースユニットに優れており、これらの全ては、直列に相互接続され、インターフェースユニットの出力がプロセッサに接続され、かつ上述の前記警報補助器及び前記ディスプレイユニットを介して線量計及び放射計に、視聴可能な警報を発生可能にする設計ユニットと、α線、β線、γ線及び中性子の放射並びに太陽光の放射レベルを測定するための放射線検出器とを備えることを特徴とする移動無線ユニット。
【請求項２】
前記プロセッサは、ソフトウエアが与えられて、許容可能な限界値、及び許容できないレベルの警報を発生させ、バックグラウンドの放射線を測定し、蓄積された放射線量に依存する人間器官及びシステムの状態を説明する図表を組み立て、図、表、及び文字の形で表示する情報メッセージを視覚化するとともに、前記蓄積された放射線量に依存する予防手段を実行することを特徴とする請求項１に記載の移動無線ユニット。
【請求項３】
前記プロセッサは、ソフトウエアが与えられて、許容可能な限界値、及び許容できないレベルの警報を、時間単位、日単位、週単位、月単位、年単位の間隔にわたり確実にすることを特徴とする請求項２に記載の移動無線ユニット。
【請求項４】
キーボーは、線量計−放射計のモードに対するいくつかの付加的なキーを含んでいることを特徴とする請求項１〜３のいずれかに記載の移動無線ユニット。
【請求項５】
移動無線ユニットのナビゲーションは、補助器が、ＧＰＳ及びＧＬＯＮＡＳシステムを介して位置決めを支援することを特徴とする請求項１〜３のいずれかに記載の移動無線ユニット。
【請求項６】
放射線検出器、増幅器、及びインターフェースユニットが、前記本体内に配置されていることを特徴とする請求項１〜３のいずれかに記載の移動無線ユニット。
【請求項７】
放射線検出器、増幅器、及びインターフェースユニットが、着脱可能なケースに配置されていることを特徴とする請求項１〜３のいずれかに記載の移動無線ユニット。
【手続補正書】
【提出日】平成25年9月5日(2013.9.5)
【手続補正１】
【補正対象書類名】実用新案登録請求の範囲
【補正対象項目名】全文
【補正方法】変更
【補正の内容】
【実用新案登録請求の範囲】
【請求項１】
電気的に相互接続されたトランシーバーとプロセッサを組み込んだ本体に、ディスプレイユニット、キーボード、メモリユニット、電源ユニット、及び該電源ユニットに接続した可聴式の警報補助器を有する移動無線ユニットであって、
半導体放射線検出器、増幅器及びインターフェースユニットが、直列に相互接続され、インターフェースユニットの出力がプロセッサに接続され、
かつ上述の前記警報補助器及び前記ディスプレイユニットを介して線量計及び放射計に、視聴可能な警報を発生可能にするように設計されており、α線、β線、γ線及び中性子の放射並びに太陽光の放射レベルを測定するための放射線検出器とを備えることを特徴とする移動無線ユニット。
【請求項２】
前記プロセッサは、ソフトウエアが与えられて、許容可能な限界値、及び許容できないレベルの警報を発生させ、バックグラウンドの放射線を測定し、蓄積された放射線量に依存する人間器官及びシステムの状態を説明する図表を組み立て、図、表、及び文字の形で表示する情報メッセージを視覚化するとともに、前記蓄積された放射線量に依存する予防手段を実行することを特徴とする請求項１に記載の移動無線ユニット。
【請求項３】
前記プロセッサは、ソフトウエアが与えられて、許容可能な限界値、及び許容できないレベルの警報を、時間単位、日単位、週単位、月単位、年単位の間隔にわたり確実にすることを特徴とする請求項２に記載の移動無線ユニット。
【請求項４】
前記キーボードは、前記線量計−放射計のモードに対するいくつかの付加的なキーを含でいることを特徴とする請求項１〜３のいずれかに記載の移動無線ユニット。
【請求項５】
移動無線ユニットのナビゲーションは、ＧＰＳ及びＧＬＯＮＡＳシステムを介して位置決めを支援することを特徴とする請求項１〜３のいずれかに記載の移動無線ユニット。
【請求項６】
放射線検出器、増幅器、及びインターフェースユニットが、前記本体内に配置されていることを特徴とする請求項１〜３のいずれかに記載の移動無線ユニット。
【請求項７】
放射線検出器、増幅器、及びインターフェースユニットが、着脱可能なケースに配置されていることを特徴とする請求項１〜３のいずれかに記載の移動無線ユニット。
【手続補正２】
【補正対象書類名】明細書
【補正対象項目名】０００４
【補正方法】変更
【補正の内容】
【０００４】
統合したアクセサリーを備える携帯電話がある。また、携帯電話ケースとして設計された独立の指令装置を用いるセルフォンがある。これは、電気信号の電気機械式ノードを介して変換を意図し、安全センサをトリガする電子ユニットによって、電気信号が伝送される。さらに、セルフォンキーの機械的動作で更なる警報を作動させ、セルフォンの機能であるショートカットダイヤル発信を介して実際に加入者の呼び出しを行う。
また、セルフォンは、「全ての着信をブロックする」機能（ＲＵ102282）でＧＳＭ（登録商標）通信する可能性を備えている。
【手続補正書】
【提出日】平成26年1月9日(2014.1.9)
【手続補正１】
【補正対象書類名】実用新案登録請求の範囲
【補正対象項目名】全文
【補正方法】変更
【補正の内容】
【実用新案登録請求の範囲】
【請求項１】
電気的に相互接続されたトランシーバーとプロセッサを組み込んだ本体に、ディスプレイユニット、キーボード、メモリユニット、電源ユニット、及び該電源ユニットに接続した可聴式の警報補助器を有する移動無線ユニットであって、
半導体放射線検出器、増幅器及びインターフェースユニットが、直列に相互接続され、前記インターフェースユニットの出力が接続され、かつ、線量計及び放射計の許容可能なレベルに基づき、前記警報補助器及び前記ディスプレイユニットを介して、視聴可能な警報を発生可能にするように設計されたプロセッサを備え、
前記半導体放射線検出器は、α線、β線、γ線及び中性子の放射並びに太陽光の放射レベルを測定するためのものであることを特徴とする移動無線ユニット。
【請求項２】
前記プロセッサは、ソフトウエアが与えられて、許容可能な限界値、及び許容できないレベルの警報を発生させ、バックグラウンドの放射線を測定し、蓄積された放射線量に依存する人間器官及びシステムの状態を説明する図表を組み立て、図、表、及び文字の形でディスプレイ上に情報メッセージを視覚化するとともに、前記蓄積された放射線量に依存する予防的勧告を出力することを特徴とする請求項１に記載の移動無線ユニット。
【請求項３】
前記プロセッサは、ソフトウエアが与えられて、許容可能な限界値、及び許容できないレベルの警報を、時間単位、日単位、週単位、月単位、年単位の間隔にわたり確実にすることを特徴とする請求項２に記載の移動無線ユニット。
【請求項４】
前記キーボードは、前記線量計または前記放射計のモードに対するいくつかの付加的なキーを含むことを特徴とする請求項１〜３のいずれかに記載の移動無線ユニット。
【請求項５】
ナビゲータを備え、該ナビゲータは、全地球測位システム及び全地球的航法衛星システムを介して、位置決めを支援することを特徴とする請求項１〜３のいずれかに記載の移動無線ユニット。
【請求項６】
前記半導体放射線検出器、前記増幅器、及び前記インターフェースユニットが、前記本体内に配置されていることを特徴とする請求項１〜３のいずれかに記載の移動無線ユニット。
【請求項７】
前記半導体放射線検出器、前記増幅器、及び前記インターフェースユニットが、着脱可能なケースに配置されていることを特徴とする請求項１〜３のいずれかに記載の移動無線ユニット。
【手続補正２】
【補正対象書類名】明細書
【補正対象項目名】全文
【補正方法】変更
【補正の内容】
【考案の詳細な説明】
【技術分野】
【０００１】
有益な本考案は、アクセサリーを備えた移動通信装置（携帯電話、セル式携帯電話、スマートフォン）即ち、携帯用ＲＦユニットの範疇に関し、このＲＦユニットは、線量計−放射計（簡略してＤＯ−ＲＡ）として設計された測定値の測定及び処理するための集積モジュールを備えている。
【背景技術】
【０００２】
チェルノブイリ及び福島での大災害を視点として、世界は、汚染領域、その隣接領域、さらに遠くの領域において、放射性崩壊生成物が、風、雨、地下水、及び川、海、大洋の水によって運ばれることから、人間組織に影響を与える放射線に対して、より注意を払うようになってきた。
【０００３】
線量計−放射計は、自立型本体を備えて種々の設計が利用でき、装備並びに補助的に視覚的なディスプレイを含んでいる。しかし、各人が個々に放射線モニター装置を備えるほど妥当な値段でかつ便利にはなっていない。このような移動装置は、常に携帯し、かつ各々電源、アラーム、及びディスプレイ部品を必要とする。
【０００４】
統合したアクセサリーを備える携帯電話がある。また、携帯電話ケースとして設計された独立の指令装置を用いるセルフォンがある。これは、電気信号の電気機械式ノードを介して変換を意図し、安全センサをトリガする電子ユニットによって、電気信号が伝送される。さらに、セルフォンキーの機械的動作で更なる警報を作動させ、セルフォンの機能であるショートカットダイヤル発信を介して実際に加入者の呼び出しを行う。
また、セルフォンは、「全ての着信をブロックする」機能（ＲＵ102282）でＧＳＭ（登録商標）通信する可能性を備えている。
【０００５】
また、統合測定モジュールを備える移動無線ユニットがあり、移動無線ユニットによって発生した電磁波に対して保護するようにシールドされている（特許文献１）。
【０００６】
補助的機能を有し、音声（可聴アラーム）を発信及び受信するためのトランシーバー（送受信機）を含む携帯（セル）電話がある。この携帯電話は、信号処理回路を備え、この回路が動作すると、トランシーバー及びマイクロプロセッサ組に接続されて、トランシーバーによって送受信された信号を処理する。また、この携帯電話は、貯蔵メモリ（メモリユニット）、プッシュボタン式パネル（キーボード）、ディスプレイ（モニター）、アキュームレータ（電源ユニット）、及び本体等の部品を含む。更に、特別のアクセサリーとして、距離、面積、容積、及び処理用測定値を測定するための電気光学モジュールを備えており、動作時には、プッシュボタン式パネル、ディスプレイ、アキュームレータユニット、トランシーバー及びマイクロプロセッサ組に接続される。このマイクロプロセッサ組は、呼び出しコールを受信し、必要に応じてその測定値を保存して、電気光学モジュールの動作を停止させることを可能にする（ＲＵ  第70434号（プロトタイプ））。
【０００７】
利用可能な移動無線ユニットの欠点は、制限された機能しかなく、適切な放射モニタリングを確実にすることができないことである。
【先行技術文献】
【特許文献】
【０００８】
【特許文献１】国際公開２００６／０９２３２３号公報
【考案の概要】
【考案が解決しようとする課題】
【０００９】
有益な本考案に関して、この場合の技術的課題は、有効な移動装置の設計を確実にすることであり、この設計は、いくつかの補助的機能を備えかつ利用可能な移動無線ユニットの範囲を広げることである。
【００１０】
上述の課題に対する適切な解法を得るのに必要な技術は、機能を拡張して、放射線環境のパラメータの検出、測定、保存、及び処理、特定エリアの放射能汚染のモニタリング、及び、理解可能で応用性のあるフォーマットでのそれぞれのデータの生成を提供する。
【００１１】
特に、限界を示す、時間単位、日単位、週単位、月単位、及び年単位での許容可能及び許容できない放射線レベルを示すための手段が与えられるべきであり、これにより、それぞれの情報スクリーンメッセージを表示するとともに、蓄積された放射線量によるバックグラウンドの放射線の測定、人の器官及びシステムの状態を説明する図表を生成する。
【課題を解決するための手段】
【００１２】
有益な本考案の主題は、移動無線ユニットが、電気的に相互接続されたトランシーバーとマイクロプロセッサの組を組み込んだ本体を含み、該本体は、ディスプレイ、キーボード、メモリユニット、電源ユニット、及びこれらに接続された可聴警報器を備えている。
【００１３】
この装置は、直列に相互接続された、半導体放射線検出器、増幅器、及びインターフェースユニットを備えている。インターフェースユニットの出力は、マイクロプロセッサ組に接続され、上記可聴警報器及びディスプレイの使用を伴って、視聴可能な線量計及び放射線計の指示値を発生する。
【００１４】
好ましくは、前記半導体放射線検出器は、太陽光放射レベルとともに、α線、β線、γ線および中性子放射の測定に対して設計されるべきである。
【００１５】
概して、マイクロプロセッサのセットは、許容可能な限界及び許容できない放射レベルの警報を発生し、バックグラウンド放射線を測定し、そして、蓄積された放射線量による、人の器官及びシステムの状態の説明する図表を組み立て、さらに、図表、テーブル及びテキストの形式のそれぞれの情報メッセージをスクリーン表示すると共に、予防的な提言を実行するソフトウエアを備えている。
【００１６】
さらに、マイクロプロセッサ組は、時間単位、日単位、週単位、月単位、及び年単位の間隔にわたる、許容可能な限界及び許容できない放射線レベルの警報を発生するソフトウエアを備えている。
【００１７】
概して、マイクロプロセッサのセットは、許容可能な限界及び許容できない放射レベルの警報を発生し、バックグラウンド放射線を測定し、そして、蓄積された放射線量による、人の器官及びシステムの状態の説明する図表を組み立て、さらに、図表、テーブル及びテキストの形式のそれぞれの情報メッセージをスクリーン表示すると共に、予防的な提言を実行するソフトウエアを備えている。
【００１８】
いくつかの無線ユニットの設計において、放射線検出器、増幅器、及びインターフェースユニットは、本体内に配置され、他の無線ユニットでは、放射線検出器、増幅器、及びインターフェースユニットは、取外し可能なケース内に配置されている。
【図面の簡単な説明】
【００１９】
【図１】図１は、線量計−放射計（ＤＯ−ＲＡ）を有する移動無線ユニットの主たるブロック図を示している。
【考案を実施するための形態】
【００２０】
移動無線ユニット（セルフォン／携帯電話、スマートフォン）は、本体（慣例的表現）１６を含み、この本体内にプロセッサ１がある。プロセッサ１は、メモリユニット２、ディスプレイユニット３、及び可聴警報補助器４、キーボード５、電源ユニット６、GPS及びGLONASシステムのナビゲータ９、トランシーバー（Wi-Fi／GPRS送受信装置）１５に接続されている。移動無線ユニット（ＲＦユニット）は、直列に相互接続された、半導体放射線検出器８、オペアンプ７、及びインターフェースユニット１０を備えている。インターフェースユニットは、プロセッサ１に接続され、上記ＲＦユニット部品の残りのものと相互接続されている。
【００２１】
半導体放射線検出器８は、放射能（イオン化）放射によって生じた事象を電気信号又は他の種類の信号に変換するのに用いられる感度素子である。この放射線検出器８は、太陽光放射レベルとともにα、β、γ及び中性子放射を測定するように設計されている。
【００２２】
プロセッサ１は、ＲＦユニットの機能及びデータのモニタリングの両方を実行するように設計され、さらに、限界値の蓄積及び生成、許容可能及び許容できない放射線レベルの警報、バックラウンド放射線を測定し、蓄積された放射線量による、人の器官及びシステムの状態を説明する図表を組み立て、さらに、それぞれのデータの図表、テーブル及びテキストのスクリーンメッセージを示すディスプレイユニット３への指示に対して、予防的な提言を出力する。このソフトウエアは、図面に一般的に図示されている、以下の４つの動作プログラムモジュールを含む。
【００２３】
データモジュール１１「線量計」
データモジュール１２「放射計」
データモジュール１３「分離した人体の器官における影響」
データモジュール１４「太陽光放射レベル」
線量計は、時間間隔、例えば、ある周期にわたり、その装置（またはそれを使用する人々）に影響を与えるイオン化する放射線のレベル及び強さを測定するための装置であり、放射線は、ある領域、又は作業シフトを超えて蓄積される。
【００２４】
放射計は、放射能放射のためのイオン化する放射線の流速密度を測定する装置であり、疑わしい対象物をチェックし、かつある領域での所定の時間における放射能環境を評価するためのものである。
【００２５】
こうして、これ自体の回路は、半導体放射線検出器８、オペアンプ７、及びインターフェース１０を含んでいるが、独立の装置として、線量計及び放射計における機能の実行を保証することはできない。
【００２６】
プロセッサ１は、許容可能な限界値、及び時間単位、日単位、週単位、月単位、及び年単位での許容できない放射線レベルを示すために、それぞれについて可聴警報補助具４を介して、視聴可能な音声警報を発生するためのソフトウエアを備えている。
キーボード５は、線量計および／または放射計の動作を制御するための付加的なキー（
図示略）を含む。
【００２７】
線量計及び放射計の機能の実行は、線量計及び放射計の両方の回路と共に、プロセッサ１のプログラムによって定められ、これらの回路は、半導体放射線検出器８、インターフェースユニット１０、増幅器７、及び移動ＲＦユニット部品によって形成されている。半導体放射線検出器８、インターフェースユニット１０、および増幅器７は、移動ＲＦユニット本体１６内に統合、または個別の着脱可能なケース（図示略）内に配置することができる。
【００２８】
スマートフォンは、それ自体にオペレーションシステムを有する改良型携帯電話形式であり、また、拡張されたオーダーメードの可能性を有している。
その結果、相互作用デバイス（回路要素）１−１０,１５を単一ユニットに組み合わせることによって、建設的な統合性及び機能的な相互依存関係を達成することが可能であり、結果として、新しく拡張された機能を有する移動ＲＦユニットに貢献できる。
【００２９】
線量計及び放射計の機能の実行は、線量計及び放射計の両方の回路と共に、プロセッサ１のプログラムによって定められ、これらの回路は、半導体放射線検出器８、インターフェースユニット１０、増幅器７、及び移動ＲＦユニット部品によって形成されている。半導体放射線検出器８、インターフェースユニット１０、および増幅器７は、移動ＲＦユニット本体１６内に統合、または個別の着脱可能なケース（図示略）内に配置することができる。
【００３０】
さらに、上記データは、中央集中型の、例えば、移動通信のサービスプロバイダによってデータ処理する、固定のサーバーに送信機（Ｗｉ−Ｆｉ／ＧＰＲＳ）１５を介して伝送される。データが、蓄積され、処理され、そして、例えば、「Our Radioactive World」キャンペーンに参加する人々の間に配布される。「Our Radioactive World」キャンペーンの参加者は、ＤＯ−ＲＡデバイスの自発的な所有者で、かつ、放射能汚染領域及び範囲の地図作成のためのＧＰＳ／ＧＬＯＮＡＳサービスの使用者である。
【００３１】
ＲＦユニットを作動させ、そして、キーボード５上の各キーを押すと、適切なデータが、同一のディスプレイ３に表示され、このディスプレイには、文字メッセージ及び不在着信のデータと、放射能環境及び太陽光放射レベルでの上記データとの両方のデータを含んでいる。
【００３２】
同一の可聴警報補助器４は、限界値に到達したら直ちに、プロセッサ１に受信した入来ＲＦ信号について、使用者に情報を伝える。許容可能なおよび／または許容できない放射線レベルの上記限界値は、予め設定された、時間単位、日単位、月単位、年単位の間隔にわたる。
【００３３】
イオン化した放射線の照射線量のデータは、各ユニットにおける数値、例えば、μＲ／ｈ（マイクロレントゲン／時間） または μＳｖ／ｈ（マイクロシーベルト／時）等の単位として、同一のＲＦユニットディスプレイ３に表示される。これらの単位は、変換され、調整されて、ディスプレイ３のスクリーンに表示され、使用者の居住国に受け入れられる。
【００３４】
ユニット９は、位置決めのために、ＧＰＳ／ＧＬＯＮＡＳシステムに基づくナビゲーション補助器（図示略）を持っている。
位置決めのためのＧＰＳ／ＧＬＯＮＡＳシステムに基づくナビゲーション補助器は、ナビゲータ９とプロセッサ１を介してデータを伝達して、同一ディスプレイ３上に位置するＲＦユニットのデータを視覚化する。
【００３５】
要求された技術的解法は、全体として、ＲＦユニットが、統合され又は付帯した最小限の部品を用いて、遠隔通信を維持するのみならず、測定領域内の所有者及びバックグラウンドの放射線に影響を及ぼす放射線被爆量の測定を可能にすることにより、携帯電話及びスマートフォンを介して線量計−放射計の機能を実現させる。
【００３６】
この技術的解法の妥当性は、今日の携帯電話が、実際我々の身体の一部となっているという事実によっている。我々は、仕事中、携帯電話またはスマートフォンを手放すことはめったになく、そのため、線量計−放射計機能は、携帯電話またはスマートフォンの機能としてスムーズに統合され、その結果、全体に機能性を持たせた、拡張性及び多様性を備えることになる。
【００３７】
放射線環境の分析のための放射計機能は、線量計機能と変わらない要素に基づいて、ソフトウエアによりプログラム化されている。この携帯電話またはオプションが付加されたスマートフォンは、使用者が放射能汚染を監視するのに役立ち、ある領域だけでなく、使用者の位置に関係なく、食品、水、及び他の個人的及び家庭で用いる他の対象物、即ち、健康の保護を確実にする。
【００３８】
ＧＰＳ／ＧＬＯＮＡＳシステムベースのＲＦユニットの位置決め機能は、スマートフォンにも有益であり、スマートフォンユーザがいる場所でのバックグラウンド放射線の対象データを自動的に収集を提供する。
【００３９】
この有益な発明は、「ＤＯ-ＲＡ」の構造的構成要素として、携帯電話またはスマートフォンの回路要素を用いて部分的に完成する線量計−放射計の機能を用いて、どの携帯電話またはスマートフォンにおいても実行できる。線量計−放射計モードにおける「ＤＯ-ＲＡ」動作は、特定に開発されたソフトウエアパッケージ及びある携帯電話、スマートフォンによって用いられる動作システムに基づいて実行される。線量計−放射計モードにおいて、「ＤＯ-ＲＡ」のための電力は、携帯電話またはスマートフォンの標準蓄積ユニット（ユニット６）から供給される。これらが、新しい携帯電話またはスマートフォンの発明、または着脱可能な（取付け型）装置として設けられる場合、検出器８の回路は、上記いずれかのフォン用回路に構造的に統合できる。線量計−放射計の動作は、携帯電話／スマートフォンの相互接続及び通信によって確実になる。
【００４０】
この結果、要求されるＲＦユニットは、全体として、次の目的の範囲を完成するのに適している。
・移動遠隔通信を確実にすること、
・バックグラウンド放射線レベルを測定すること、
・放射能の危険を有する対象物を検出かつ識別すること、
・ある食品が食べられるか否かを決定すること、
・個人の顔色を見て健康的な日焼けレベルを定めること、
【００４１】
こうして、ＲＦユニットは、太陽光放射のレベルを測定しかつ分析するのに用いることができ、かつ色白から色黒までの、各々の顔色に対する許容可能な露光レベル及び強さを識別し、さらに、通知システムを介して、オープンビーチ空間及び他の日射設備に対する太陽光の限界露光時間を警告することを提供する。
【００４２】
・「ＤＯ-ＲＡ」の蓄積放射線被爆量は、線量計モードで測定された時間単位、日単位、週単位、月単位、年単位の間隔にわたって携帯電話またはスマートフォンの所有者に備えられ、特定の図表ファイル及びプログラムを介して、ディスプレイ上に視覚化される。
【００４３】
・線量計モードにおける許容可能な及び許容できない放射線レベルが、音声指令：「通常の放射線レベル」、「限界放射線レベル」、「許容できない放射線レベル」として、携帯電話／スマートフォンのシステムを介して通信される。
【００４４】
・各々の顔色の形式として推奨する太陽光放射線レベルを連続して監視する。
・放射計モードにおいて、特定領域、対象物、水、食物及びその他に対する放射線レベルを測定する。特定領域及び対象物に対するバックグラウンド放射線レベルは、特定の図表ファイル及びプログラムを介して、携帯電話／スマートフォンのディスプレイ上に視覚化される。
【００４５】
・携帯電話／スマートフォンの所有者に備えられた「ＤＯ-ＲＡ」の器官及びシステムの状態を説明する図表を、特定の図表ファイル及びプログラムを介して実行された、線量計データに基づいて、受け入れた又は蓄積された放射線量に従って、構築する。そして、移動ＲＦユニットのディスプレイ上に視覚化する。
【００４６】
・線量計データに基づいて、受け入れた又は蓄積された放射線量に従って、携帯電話／スマートフォンに備えられた「ＤＯ-ＲＡ」の所有者のための予防的勧告を実行する。そして、このデータが、移動ＲＦユニットのディスプレイ上にテキストメッセージとして視覚化される。
【００４７】
・携帯電話／スマートフォンの所有者に備えられた「ＤＯ-ＲＡ」の位置の領域に対するバックグラウンド放射線報告の実時間モードの自動的な準備が、移動通信サービスプロバイダを介する調整に基づいたＧＰＳおよびＧＬＯＮＡＳを用いて実行される。
【００４８】
放射計モードで活動し、そして、データ処理及び分析に用いられる、グローバルな放射線環境の評価センターへの接地位置に従って、携帯電話／スマートフォンを備えた「ＤＯ-ＲＡ」の所有者を取り囲む放射線環境でのデータを自動伝送する。
【００４９】
・ＲＦユニット（無線ユニット）を備えた「ＤＯ−ＲＡ」によって実行されるデータ収集が進むので、放射能汚染レベルを示す、領域範囲、水空間、および他の設備の視覚化された地図の形で、グローバルな放射線環境の評価センターによって蓄積されたデータが、無料で、「Our Radioactive World」キャンペーンの全ての参加者に提供される。
こうして、拡大された機能性を保証し、さらに移動ＲＦユニットの範囲を増大させる、有効な移動ＲＦユニットが完成された。
【産業上の利用可能性】
【００５０】
本発明は、この産業において利用可能な普遍的な現代の装置を用いて実行される。
【手続補正３】
【補正対象書類名】図面
【補正対象項目名】図１
【補正方法】変更
【補正の内容】
【図１】
0003189486.tif 000004